(57)【要約】【課題】【解決手段】医療使用のための輸液ラインの，剛性の支持部材の説明が与えられている。この支持部材は，互いに固定して接続された第１及び第２の部分（２０，２２）を有しており，第１の長さのチューブ（１８）を支持することができる。前記第１の部分（２０）は，流体を気体部分と液体部分とに分離させるための，連続的なセパレータ（１０）を組み込んでいる。このセパレータは，支持部材に形成された容器本体と，相互作用する１対の膜，即ち親水性の膜及び疎水性の膜とを有している。
2005532105.tif 000002
【特許請求の範囲】
【請求項１】
体外流体移送ラインのための支持部材であって，
少なくとも第１の長さのチューブ（１８）を規定するように，前記移送ライン（２）の対応する部分を支持するようにデザインされた第１及び第２の側方部分（２０，２２）と，
前記側方部分（２０，２２）を接続するための剛性のクロスピース（２３）とを具備する支持部材において,
前記第1の側方部分（２０）は，流体を気体部分と，液体部分とに分けることのできる，連続的な流体セパレータ（１０）を組み込んでいることを特徴とする支持部材。
【請求項２】
前記セパレータ（１０）は，容器本体（１１）を有しており，この容器本体は，
流体を受けるための少なくとも1つのインレット（１２）と，
前記流体の液体部分を受けるための少なくとも第1のアウトレット（１３）と，
前記インレット（１２）及び第1のアウトレット（１３）間に設けられ，かつ，流体を，気体部分と液体部分とに連続的に分離することのできるセレクター手段（１５）とを有していることを特徴とする，請求項１の支持部材。
【請求項３】
前記セパレータの前記容器本体（１１）は，前記流体の気体部分を受けるための第２のアウトレット（１４）を少なくとも有していることを特徴とする，請求項２の支持部材。
【請求項４】
前記セレクター手段（１５）は，前記流体を受けて，液体のみを前記第1のアウトレット（１３）に向けて移送するための，前記第1のアウトレット（１３）に面した片側部（１６ａ）と，前記インレット（１２）に面した片側部（１６ｂ）とを備えた，少なくとも1つの親水性の膜（１６）を有していることを特徴とする,請求項２又は３の支持部材。
【請求項５】
前記セレクター手段（１５）は，流体を受けて，気体のみを前記第２のアウトレット（１４）に向けて移送するための，前記第２のアウトレット（１４）に面した片側部（１７ａ）と，前記インレット（１２）に面した片側部（１７ｂ）とを備えた，少なくとも1つの疎水性の膜（１７）を有していることを特徴とする，請求項３又は４の支持部材。
【請求項６】
前記第1の長さのチューブ（１８）は，湾曲形状部と，所定の軸方向の延長部とを有することを特徴とする，請求項１ないし５のいずれか1の支持部材。
【請求項７】
前記第２の側方部分（２２）は，管状の外形を有し，前記第1の長さのチューブ（１８）の一端部と，第２の長さのチューブ（１９）の一端部とを受けるようにデザインされており，これら一端部は，前記側方部分に固定されていることを特徴とする，請求項１ないし６のいずれか１の支持部材。
【請求項８】
前記容器本体（１１）は，前記インレット（１２）と，前記第1及び第２のアウトレット（１３，１４）との間に流体の流路（２７）を形成するように，相互作用している基部（２５）とカバー部分（２６）とを有することを特徴とする，請求項５ないし７のいずれか1の支持部材。
【請求項９】
前記基部（２５）は，前記流路（２７）を外部と流体接続させるための貫通チャネル（２８）を形成しており，また，前記疎水性の膜（１７）は，前記チャネル内で動作することを特徴とする，請求項８の支持部材。
【請求項１０】
前記基部（２５）は，組み込み式の第1の管状接続部材（２９）を有していることを特徴とする，請求項８又は９の支持部材。
【請求項１１】
前記カバー部分は，前記第１の管状接続部材（２９）の軸に対して傾斜した延長軸を備えた，組み込み式の第２の管状接続部材（３０）を有していることを特徴とする，請求項１０の支持部材．
【請求項１２】
前記親水性の膜（１６）は，前記基部（２５）と，前記カバー部分（２６）との間に設けられており，前記容器本体（１１）をほぼ貫通して延びていることを特徴とする，請求項８ないし１１のいずれか１の支持部材。
【請求項１３】
前記基部（２５）と前記カバー部分（２６）との各々は，対応する基壁（２５ａ，２６ａ）と，これら基壁から出現している，対応する周辺エッジ（２５ｂ，２６ｂ）とを有しており，前記親水性の膜（１６）は，前記基壁（２５ａ，２６ａ）から離れた位置で，これら基壁（２５ａ，２６ａ）に対して平行に延びていることを特徴とする，請求項８ないし１２のいずれか１の支持部材。
【請求項１４】
前記容器本体（１１）は，基部の前記基壁（２５ａ）から出現している，複数の突出部（３１）を有していることを特徴とする，請求項１３の支持部材。
【請求項１５】
前記容器本体は，前記カバー部分の前記基壁（２６ａ）から出現している，複数の突出部（３２）を有していることを特徴とする，請求項１３又は１４の支持部材。
【請求項１６】
前記基部の突出部（３１）は、基部の前記基壁（２５ａ）の平面全体に渡って均一に分配された複数の歯部を有していることを特徴とする，請求項１４又は１５の支持部材。
【請求項１７】
前記カバー部分の突出部（３２）は，流体のフローを，前記第１のアウトレット（１３）に向けて案内するように，角度をなして離間した複数のデフレクターを有していることを特徴とする，請求項１５又は１６の支持部材。
【請求項１８】
前記容器本体の前記基部（２５）と，前記剛性のクロスピース（２３）と，前記第２の側方部分（２２）とは，単一なピースで形成されていることを特徴とする，請求項８ないし１７のいずれか１の支持部材。
【請求項１９】
前記剛性のクロスピース（２３）は，ほぼ平らであり，前記第１の長さのチューブ（１８）が置かれている面に対して平行であることを特徴とする，請求項１ないし１８のいずれか１の支持部材。
【請求項２０】
前記連続的な流体セパレータ（１０）は，所望の移送方向に対して逆方向な，前記移送ライン（２）のフローを防止するように，予め配置された少なくとも１つのチェックバルブ（３６）を組み込んでいることを特徴とする，前記全ての請求項のいずれか１の支持部材。
【請求項２１】
前記チェックバルブ（３６）は，液体部分が，前記流体セパレータ（１０）によって，気体部分から分離された後に，液体部分の流路に沿って予め配置されていることを特徴とする，請求項２０の支持部材。
【請求項２２】
前記チェックバルブ（３６）は，前記セレクター手段（１５）と，前記第１のアウトレット（１３）との間に構成されたゾーン内で，前記容器本体（１１）の内側に配置されていることを特徴とする，請求項２ならびに請求項２１の支持部材。
【請求項２３】
前記チェックバルブ（３６）は，液体部分の流路マウス（３５）で動作している，移動可能な閉塞器（３７）を有していることを特徴とする，請求項２０ないし２２のいずれか１の支持部材。
【請求項２４】
前記流路マウス（３５）は，容器本体（１１）の前記カバー部分（２６）に関連されていることを特徴する，請求項２３及び請求項８のいずれか１の支持部材。
【請求項２５】
前記セレクター手段（１５）は，前記カバー部分（２６）の基壁（２６ａ）に面し，かつこの基壁から離れて置かれた少なくとも１つの親水性の膜（１６）を有し，前記流路マウス（３５）は，前記基壁（２６ａ）に関連されていることを特徴とする，請求項２４の支持部材。
【請求項２６】
前記容器本体（１１）は，前記セパレータインレット（１２）と前記第１のアウトレット（１３）との間の流路（２７）を内側に規定しており，前記疎水性の膜（１７）は，前記親水性の膜（１６）の上流に位置された流路部分（２７ａ）の上側のゾーン内に位置されており，この疎水性の膜（１７）は，この支持部材（１）の使用の形態において，上方を向いており，この使用の形態では，前記第１の長さのチューブ（１８）は，垂直面内にあることを特徴とする，請求項５ないし請求項２５のいずれか１の支持部材。
【請求項２７】
前記流路のための上流流路部分（２７ａ）は，前記疎水性の膜（１７）に向けて所定の方向に増している，少なくとも１つの流路セクションを有していることを特徴とする，請求項２６の支持部材。
【請求項２８】
前記疎水性の膜（１７）は，前記親水性の膜（１６）の動作する面の上側ポイントに対して，より上位で位置されていることを特徴とする，請求項２６又は２７の支持部材。
【請求項２９】
前記容器本体（１１）は，前記第１の側方部分（２０）から前記側方部分（２２）へと一般に横方向に進んでいる展開部を有しており，前記第１のアウトレット（１３）は，前記第２の側方部分（２２）の近隣で，前記横方向の展開部の側方端ゾーンに位置されていることを特徴とする，請求項２ないし２８のいずれか１の支持部材。
【請求項３０】
前記第２のアウトレット（１４）は，前記横方向の展開部の中間ゾーンに配置されていることを特徴とする，請求項２９の支持部材。
【請求項３１】
前記疎水性の膜（１７）は，前記第１の長さのチューブ（１８）が，垂直面内にある使用の形態において，垂直面内にあることを特徴とする，請求項４ないし３０のいずれか１の支持部材。
【請求項３２】
流体を受けるための少なくとも１つのインレット（１２），及び流体の液体部分を受けるための少なくとも第１のアウトレット（１３）を有し，前記少なくとも１つのインレット（１２），及び前記第１のアウトレット（１３）間の流路（２７）を内側に有している容器本体（１１）と，
流体を受けて，前記第１のアウトレット（１３）に液体のみを移送するための，前記第１のアウトレット（１３）に面した側部（１６ａ），及び前記少なく１つのインレット（１２）に面した側部（１６ｂ）を有している前記流路の内側に配置された，少なくとも１つのフィルター部材（１６）とを具備し，前記フィルター部材は，前記少なくとも１つのインレット（１２），及び前記フィルター部材（１６）間に位置された流路の上流部分（２７ａ）と，前記フィルター部材（１６），及び前記第１のアウトレット（１３）間に位置された流路の下流部分（２７ｂ）とに流路（２７）を分けており，
流体の気体部分を受けるための前記流路（２７）の前記上流部分（２７ａ）に動作可能なように連動したベントを有している，少なくとも第２のアウトレット（１４）を具備しているガス/液体セパレータ（１０）。
【請求項３３】
前記第２のアウトレット（１４）は，流路（２７）の前記上流部分（２７ａ）の上側のゾーンに位置され，この上側ゾーンは，セパレータ（１０）の使用形態においての上方を意味することを特徴とする，請求項３２のセパレータ。
【請求項３４】
前記流路の上流部分（２７ａ）の少なくとも一部は，前記セパレータの使用の構造に関して，上方向に徐々に増している流路セクションを有していることを特徴とする，請求項３３のセパレータ。
【請求項３５】
前記フィルター部材（１６）は，セパレータの使用形態において，垂直面が直交方向に配置された状態の，親水性の平面であることを特徴とする，請求項３３又は３４のセパレータ。
【請求項３６】
前記第２のアウトレット（１４）上で動作する疎水性の部材（１７）を有し，前記フィルター部材（１６）と，この疎水性の部材（１７）とが，平らであり，一方を他方に対して横方向に配置され垂直面内にある請求項３２ないし３４のセパレータ。
【請求項３７】
前記少なくとも１つの流体インレット（１２）は，セパレータの使用の構造に関して，流路（２７）の前記上流部分（２７ａ）の下方ゾーンに配置されていることを特徴とする，請求項３３ないし３６のいずれか１のセパレータ。
【請求項３８】
前記容器本体（１１）は，流路を規定し，かつ前記フィルター部材（１６）の対向側部（１６ｂ，１６ａ）に面した少なくとも２つの基壁（２５ａ，２６ａ）を有しており，前記フィルター部材（１６）は，前記基壁（２５ａ，２６ａ）から離れており，これら基壁（２５ａ，２６ａ）から出現している複数の突出部（３１，３２）は，フィルター部材（１６）の前記対向側部（１６ｂ，１６ａ）のための２つの自由面を規定していることを特徴とする，請求項３２ないし３７のいずれか１のセパレータ。
【請求項３９】
前記全ての請求項のいずれか１の支持部材（１）を有している輸液ライン。
【請求項４０】
人に輸液される液体の容器（４）と，
前記輸液（４）及び前記剛性の支持部材（１）との間に延び，かつ前記第１の長さのチューブ（１８）と流体接続で位置されている第２の長さのチューブ（１９）とを有している請求項３９の輸液ライン。
【発明の詳細な説明】
【技術分野】
【０００１】
本発明は，体外流体移送ラインのための，特に，医療使用の輸液装置のための支持部材に関する。
【背景技術】
【０００２】
特に，本発明に従った指示部材とラインとは，前述された装置と関連した体外血液回路に接続されることのできる輸液ラインを与えるように，血液の体外処理のための装置，例えば，透析並びに/もしくは血漿交換のための装置内に使用されている。当該の支持部材とラインとは，また，人の脈管系に直接接続されることのできる輸液ラインを形成するために，使用されることができる。
【０００３】
知られているように，従来の輸液ラインは，所定の輸液液体を含んでいるバッグを，針及びカテーテル等の従来のアクセス手段を介して，体外血液回路又は直接人に接続するようにデザインされた，少なくとも１つの長さのチューブを有している。例えば，Ｈｏｓｐａｌ  Ｉｎｄｕｓｔｒｉｅ名義の米国特許５６９８０９０は，交換液体を含んでいるバッグを有した輸液ラインを説明している。この輸液ラインは，収集チャンバ（即ち，気泡弁）を導いており，このチャンバ内で，輸液液体が，体外血液回路の静脈ブランチから得られた血液と混合され得る。
【０００４】
前記収集チャンバは，処理される液体と気体との分離プロセスを可能にするため，危険な気体の粒子が人に浸透するのを防止する。分離された気体は，外部に直接排出されるか，又は，収集チャンバのトップに接続された気体回路によって，適切に処理されることができる。前述のチャンバ下流で，輸液液体とエンリッチされた血液は，人の循環系に戻される。
【０００５】
前記収集チャンバは，これが適切に機能する場合，所定の最低量の液体を常に含んでいなければならないことは，上記の説明から明らかである。しかし，この収集チャンバ内に液体のレベル（水位）が形成されていないと，人に気体を直接移送してしまう危険がある。
【０００６】
さらに，前記収集チャンバのディメンションは，気体の粒子が，気体弁のトップに向けて移動されることにより分離されるための時間があるように，血液フローが遅くなるように果たされなければならない。
【０００７】
実際に，前記収集チャンバは，輸液チューブよりかなり大きな径方向のディメンションを有している。従って,ラインの製造が考えられるところとして，収集チャンバは，１つ以上のピースに形成され，ラインの自由部から離れて一般に形成されなければならない。輸液ラインを形成しているチューブの異なる長さと，収集チャンバの異なる部分とは，輸液ラインの総費用に加えられたプロセスによって組み合わされる。
【０００８】
さらに，説明された装置は，危機的な状況が気体弁内で検知されるとすぐに，チューブを閉鎖することのできる，少なくとも１つの安全バルブ，例えばクランプと，制御ユニットによって相互作用している，レベルセンサー並びに/もしくは気泡センサーの存在が，一般に必要である。明らかに，流体収集チャンバは，少量の液体がチャンバ内に存在している時に，気体を液体のみから分離することができる。収集チャンバ内の液体が使用し尽くされると（これは,輸液液体が使用し尽くされた所定の時間後に,輸液ポンプが所定の時間で停止しない場合に必然的に生じる）,人に気体が移送されるであろう。
【０００９】
気体弁を備えた輸液ラインは，また，これらの使用において，危機的な局面を有している。チューブと収集チャンバとの両方は，例えば，血液処理装置のフェイスパネルに固定されるか，いずれの場合は，適切な指示部と位置決めシステムとに固定されるかが一般である。特に，収集チャンバは，これが水位並びに/もしくは気体センサーと相互作用している時には特に，正確な方法で固定されなければならない。動作の期間には，ラインが使用のために正しく準備されるように，十分な時間が必要とされる。
【００１０】
最後に，これら構造のために，収集チャンバを備えたラインは，小さなスペースでの取り付けに適応されるには不十分である。
【００１１】
完全のために，周知の気泡と液体とのセパレータが，疎水性の膜によって分離された，互いに近接した２つのチャンバを形成している容器本体を有していることが説明されるできである。この容器本体は，液体及び気体粒子を構成している流体のためのインレット口を有している。この液体は，親水性の膜を介して通過し，アウトレット口を介して出現することができる。第１のチャンバに到達する気体は，親水性の膜の上流に位置された第２の口部を介して排出される。少なくとも１つの疎水性の膜が，液体が通るのを防止するように，これら口部に使用されている。
【００１２】
上述された装置は，気体粒子を含んでいる流体を，２つの部分に，即ち第２のチャンバ内に設けられたアウトレット口から出現する液体の相と，第１のチャンバ内に設けられた第２の口部を通って解放される気体の相とに分離されることが可能である。上述された空気セパレータ装置は，気体を分離させるために，装置内に停滞している液体の一定の存在を必要としない，言い換えれば，セパレータ装置を通る流体は，ラインに沿って進む液体と，外部に排出される気体とに，連続的に分けられることに注意すべきである。
【発明の開示】
【発明が解決しようとする課題】
【００１３】
この場合，本発明の目的は，非常にシンプルかつコンパクトで，経済的な構造を有し，上述された欠点をすべて克服する，新しい支持部材と，新しい輸液ラインとを提供することである。
【００１４】
特に，本発明の目的は，対応する輸液ラインが，輸液ポイントの上流に流体を収集するためのチャンバの使用か，光学又は超音波のレベルセンサーの存在かを必要としないような形態で，気体の分離機能を組み込んでいる支持部材を提供することである。
【００１５】
本発明の他の目的は，前記支持部材が使用されているラインを導入するしながら，また，接続エラーの可能性を最小にする段階を容易にする，新しい支持部材を提供することである。
【００１６】
本発明のさらなる目的は，ラインに，要求することなく使用されている効果的な安全機能を，理論的には，（クランプ又は他の装置のような）ラインに沿ったフローを停止するための追加的なシステムの存在を与えることのできる，新しい支持部材を提供することである。
【００１７】
最後に，本発明の目的は，輸液容器内に含まれた液体が使用し尽くされた時に，１つの容器から次の容器に交換する簡単な手段で，複数の容器を組み込むことができる，輸液ラインを提供することである。
【課題を解決するための手段】
【００１８】
以下の説明で明らかとなるであろうこれら及び他の目的は，添付された１つ以上の請求項の説明に従った支持部材を使用している，支持部材と輸液ラインによってほぼ達成される。
【００１９】
さらなる特徴と効果とは，本発明に従った支持部材を使用している，支持部材と輸液ラインとの，好ましいが，しかし排他的な実施の形態の，詳細な説明によって明らかとされるであろう。
【００２０】
この説明は，ガイダンスのために単に与えられた，従って制限的な意図なしに，添付図面を参照に以下に与えられている。
【発明を実施するための最良の形態】
【００２１】
医療使用のための輸液装置３に関連し得る支持部材１と，輸液ライン２とが，添付された図を参照して説明されているであろう。この輸液装置は，特に，輸液ポイント５が，対外血液循環の所定エリア内に位置され得るか，又は，人に直接接続され得るかして，人に輸液される液体の所定量を保持するようにデザインされた少なくとも1つの容器４を有している。
【００２２】
前記輸液装置３は，また，手動又は自動的に動作され得るクランプのような遮断部材６に応じて開閉されることにより，前記輸液ポイントと流体接続を順次にもたらすことのできる，複数の容器４を有することができる。
【００２３】
はかりのような重量測定装置７が，１つの又は複数の容器の総重量を検出し，これに対応した制御シグナルを送るように，輸液液体の１つの又は複数の容器との動作のために関連付けられている。実際に，この制御シグナルは，処理中に重量測定装置７によって測定された総重量に関係したシグナルである。
【００２４】
前記シグナルは，限定された時間の間隔で，例えば，一定の間隔で，重量測定装置によって測定された重量をサンプリングし，ストアすることができる，重量測定装置に関連した制御ユニット８に伝送される。従って，制御ユニット８は，実際のフローと所望のフローとの間に矛盾が生じた時に，前記ラインを通る実際のフローを決定し，ラインに関連した移動手段を適切に調節することができる。
【００２５】
前記移動手段が，例えば蠕動ポンプ９のような少なくとも１つのポンプを，又は，例えば重力が働いている場合は，例えば電磁クランプのようなフロー制御バルブを有することができることに注意するべきである。
【００２６】
代表的に，前記所望のフローは，使用者によってセットされるか，又は，制御ユニット８に予めプログラムされることができ，いずれの場合でも，時間に対して一定もしくは不定な値になることができる。
【００２７】
前記制御ユニット８は，前記輸液液体容器の実重量の減少を決定することができ，必要であれば，ラインに沿った所望のフローを得るように，前記移動手段を調節することができる。
【００２８】
各容器４内の内容物の総重量が知られているので，前記制御ユニット８は，また，少なくとも空の状態を，即ち，輸液の終了を検出することができ，この結果，対応する制御プロセスを駆動させることができる。このプロセスは，前記輸液ライン２に沿った流体の移送を停止するように，前記移動手段（蠕動ポンプ９）を命令する工程，並びに/若しくは，容器が空であることを，即ち，液体の所定量が使用しつくされたことを合図する工程を有することができる。
【００２９】
前記輸液装置３が，２つ以上の液体容器４を有する場合，前記輸液ライン２は，また，対応する容器に，ライン２の共通部分２ｂと，即ち輸液ポイント５との流体接続をもたらすように各々デザインされた，複数のブランチ２ａを有しているであろう。この場合，各ブランチは，流体の通過を選択的に可能又は阻止するように，開閉位置間でスイッチを切り替えられ得るフロー遮断部材６を有している。
【００３０】
前記フロー遮断部材６は，前記制御ユニット８によって，手動で駆動され，又はシーケンシャルな指令されることができる。例えば，制御ユニットは，容器の空の状態が検出された時，空の容器に接続されたブランチ２ａに位置された遮断部材６の閉成と，液体の入っている容器に対応しているブランチ２ａに位置された遮断部材６の１つの開成とを命令可能なように，プログラムされることができる。このプロセスは，すべての容器が空にされるまで，繰り返されることができる。
【００３１】
当該の前記輸液装置は，１つ又は複数の容器４から供給された流体を，気体部分と液体部分とに分けるために，前記輸液ライン２に位置された連続的な流体セパレータ１０を有している。このセパレータは，容器４から供給された気泡を分離させ，外部へと排出させながら，輸液ライン２に沿って液体のみを進ませ続けることができる。
【００３２】
特に，容器内の輸液液体が使用しつくされると，前記セパレータ１０は，気体を受けて，この気体を外部に排出する。従って，このセパレータは，これが動作しているセクションの下流に，気体状物質が通過するのを阻止する。
【００３３】
前記連続的なセパレータ１０は，容器本体１１を有しており，この容器本体は，容器から供給された流体を受けるための少なくとも１つのインレット１２を有し，フローの液体部分を受けて，これをセレクターの下流へと輸液ポイントに送るための，第１のアウトレット１３と，流体の気体の部分を受けて，これを外部へと排出するための第２のアウトレット１４とを少なくとも有し，そして，前記インレット１２と第１のアウトレット１３との間に設けられ，流体を気体部分，及び液体部分に連続的に分けることのできるセレクター手段１５とを有している。
【００３４】
前記セレクター手段１５は，流体を受けて，第１のアウトレットへと液体のみを移送するために，第１のアウトレット１３に面した片側部１６ａと，前記インレット１２に面した片側部１６ｂとを備えた，少なくとも１つの親水性の膜１６を有している。また，このセレクター手段１５は，流体を受けて，前記第２のアウトレット１４へと気体のみを移送するための，第２のアウトレット１４に面した片側部１７ａと，前記インレット開口部１２に面した片側部１７ｂとを備えた，少なくとも１つの疎水性の膜１７を有している。
【００３５】
前記輸液ライン２の延長軸を基準として，前記連続的なセパレータ１０は，前記移動手段（蠕動ポンプ９）と輸液ポイント５との間に設けられており，特に，移動手段の下流にすぐに位置されている。
【００３６】
添付された図に見られ得るように，前記装置３は，前記ライン２の第１の長さのチューブ１８の両対向部を支持し，また，前記移動手段（蠕動ポンプ９）と相互作用するように特にデザインされた，剛性の支持部材１を有している。
【００３７】
実際には，前記剛性の支持部材１は，この第１の長さのチューブ１８が，カーブした形状と，所定の延長軸とを有するような形態で，このチューブを支持している。
【００３８】
前記支持部材１は，第１の長さのチューブ１８の両対向部の中央線軸に対して横方向に位置され，第１の長さのチューブを蠕動ポンプ９のロータの周りに容易に装着可能なように，第1の長さのチューブを容易に処理することができる。
【００３９】
前記第１の長さのチューブ１８の上流に，前記輸液ライン２は，前記容器４と剛性の支持部材１との間に延び，第１の長さのチューブと流体接続するように位置された第２の長さのチューブ１９を有している。説明されたように，この第２の長さのチューブ１９は，単一の液体容器４に接続された単一のダクトから構成されることができるか，又は，対応する容器に各々が接続された複数のブランチ２ａへと分技することができる。
【００４０】
前記容器本体１１を形成している第１の側方部分２０と，管状の外形の第２の側方部分２２とを有した，前記剛性の支持部材１の詳細な構造が説明がされる。これら第１及び第２の側方部分は，前記ライン２の第１及び第２の長さのチューブ１８，１９の，対応する端部に固定されている。この第２の側方部分２２と第１の側方部分２０とは，剛性の支持部材を，示されていない支持壁に装着するための部材として果たされ得る少なくとも１つの貫通ホール２４が与えられた，剛性のクロスピース２３によって，固定して一緒に接続されている。この剛性のクロスピース２３は，ほぼ平面であり，第１の長さのチューブ１８が位置している面に対して平行である。
【００４１】
前記第１の側方部分２０によって形成された容器本体１１は，一方の前記インレット１２と，他方の前記第１及び第２のアウトレット１３，１４との間の流体のための流路２７を形成するように，相互作用している基部２５と，カバー部分２６とを有している。
【００４２】
より正確には，前記基部２５は，前記流路２７を外部と流体接続させるための貫通チャネル２８を形成している。この貫通チャネル２８は，支持部材１が置かれている平面に対して直行方向に延びており，前記基部２５の周辺エリアに近接して位置されている。従って，前記輸液装置３が，動作状態に，前記蠕動ポンプ９に装着されている時，前記チャネル２８は，基部の頂部エリアに位置されている。
【００４３】
図５に見られ得るように，前記容器本体内の流路２７は，親水性の膜１６によって，２つの半体部，即ちチャンバ２７ａと２７ｂとに特に分けられている。この特別な位置付けにより，前記チャネル２８は，気体を効果的に排出するように,チャンバ２７ａの（フローの方向に対して上流に位置された）最上ポイントに位置されており，この最上ポイントへと，前記流路は分けられている。この目的のために，前記疎水性の膜１７は，前記容器本体の内部に面したチャネル２８のインレットセクション内で動作する。
【００４４】
図５を再び参照すると，前記基部２５は，前記第１の長さのチューブ１８の一端部を受けるための，組み込み式の第１の管状接続部材２９を有していることに気付くであろう。前記カバー部分２６は，前記第１の管状（接続）部材２９の軸に対して傾斜した延長軸を備えた，組み込み式の第２の管状接続部材３０を有している。
【００４５】
前記第２の接続部材３０は，移動可能なタイプの，例えばルアーコネクタ（Ｌｕｅｒ  ｃｏｎｎｅｃｔｏｒ）に効果的であり，血液処理ユニット３４の上流又は下流で，対外血液回路３３の，例えばＴ型タイプの接合コネクタに直接接続されることができる。従って，対外血液回路３３への直接接続が可能であるため，前記セパレータ１０の下流にチューブを有する必要がなくなる。このことは，前記体外（血液）回路に関連されたセンサーシステムによって検出されることが困難であろう，起こり得る不慮の閉塞を防止するという効果を与える。
【００４６】
前記セパレータの下流に位置された輸液液体移送チューブが，閉塞された場合，所定の期間の，圧力に対する歪みが生じ，液体シールのみならず，特に前記膜１６，１７とセパレータ１０とに悪影響を与えることに，この状況で気付くべきである。
【００４７】
前記剛質な支持部材１が薄いために，全体のラインが，非常に小さな容積を占め得ることに気付くべきである。
【００４８】
しかし，前記システムの効果は，前記容器本体１１の特定な構造と，前記膜１６，１７の位置とによって，減じられることはない。特に，親水性の膜１６は，前記基部２５と，前記カバー部分２６との間に設けられており，全体の容器本体１１を通ってほぼ延びている。この基部２５とカバー部分２６とは，流路を形成するように，対応する基壁２５ａ，２６ａと，これら基壁から出現している，対応する周辺エッジ２５ｂ，２６ｂとを有しており，この流路と通って，流体が移送される。
【００４９】
前記親水性の膜１６は，前記基壁から離れた位置で，基壁２５ａ，２６ａに対して平行に延びている。従って，この膜は、平面図に見られる容器本体１１のエリアにほぼ等しい活動面（ａｃｔｉｖｅ  ｓｕｒｆａｃｅ）を与えている。
【００５０】
前記容器本体１１は，前記基部の基壁２５ａと，前記カバー部分の基壁２６ａとから出現している複数の突出部３１，３２を有している。詳細には，基部２５と関連した突出部３１は，基部の基壁２５ａの面に渡って均一に分配された歯部を有している一方，カバー部分２６に関連した突出部３２は，前記フローを前記第１のアウトレット１３に向けて案内するための，角度をなして離間したデフレクターを有している。
【００５１】
組立てにおいて，前記容器本体の基部２５と，前記剛質なクロスピース２３と，第２の側方部分２２とは，単一のピースで形成されている一方，前記カバー部分２６は，疎水性の膜１７と親水性の膜１６とが所定の位置に置かれた後に，基部２５に固定される。
【００５２】
図７ないし図１４は，本発明に従った剛性の支持部材の第２の実施の形態を示している。この第２の実施の形態では，第1の実施の形態のように，支持部材は，図１に示された輸液装置３のような輸液装置３に関連可能であり，前記輸液ライン２の第1の長さのチューブ１８の互いに対向する両部分と，前記第２の長さのチューブ１９の一端部分とを係合している。
【００５３】
簡単かつ明瞭のために，図７以降の図には，支持部材は，図１ないし図６に示された第1の実施の形態の支持部材のように，１で示されている。また，図７以降の図には，第1の実施の形態の支持部材に，構造かつ機能的に類似している，第２の実施の形態の支持部材が，図１ないし図６でのような同じ符号によって示されている。
【００５４】
第２の実施の形態では，前記連続的な流体セパレータ１０は，体外流体のフロー方向と反対の方向に逆フローするのを阻止するように，予め配置されているチェックバルブ３６を組み込んでいる。
【００５５】
前記チェックバルブ３６，即ち一方向バルブは，液体が，前記連続的な流体セパレータ１０によって，気体部分からすでに分離された後に，液体部分のラインに沿って，予め配置される。このチェックバルブ３６は，前記セパレタセレクター手段１５と，前記第１のアウトレット１３（液体アウトレット）との間に構成されたゾーンに，セパレータ容器本体１１の内部に配置されている。
【００５６】
前記チェックバルブ３６は，液路マウス３５上で動作している移動可能な閉塞器３７を有しており，この液路マウスを通って，液体部分が通過する。この閉塞器３７は，ディスク形状であり，エラストマー材料（例えば，シリコーン）で形成されている。この閉塞器３７は，これが開口位置にある状態で，前記液路マウス３５と片側で接続されているチャンバの内部で移動可能である。所望の方向の反対方向にフローが存在すると，前記閉塞器３７は，液路マウス３５を自動的に遮断して，逆流を阻止する。この結果，対外回路３３内の流体が，セパレータ１０に到達することができない。
【００５７】
前記閉塞器３７をハウジングしているチャンバは，また，閉塞器による遮断の可能性がない状態では，前記液路マウス３５の反対側で，前記セパレータの第１のアウトレット１３と接続されている。前記チェックバルブ３６には，閉塞器３７が第１のアウトレット１３との連通を閉鎖するのを阻止するための手段が与えられている。この阻止するための手段は，閉塞器３７を収容したチャンバを規定している壁から出現している，少なくとも１つの突出部３８によって構成された本実施の形態内に設けられており，この突出部３８は，閉塞器３７と接触して相互作用することができる。図示された実施の形態では，複数の突出部３８が存在しており，これら突出部は，各々がＬ字型で，閉塞器３７を横方向に有するように閉塞器と協力するような，スポーク状に配置されている。
【００５８】
前記液路マウス３５は，容器本体１１の前記カバー部分２６に関連している。特に，この液路マウス３５は，基壁２６ａから所定の距離離れた位置で親水性の膜１６が面している，カバー部分２６の基壁２６ａに配置されている。
【００５９】
第１の実施の形態のように，前記容器本体１１は，内側に，前記インレット１２と第１のアウトレット１３との間に流路２７を与えている。この流路２７は，前記インレット１２及び親水性の膜１６間に構成された上流部分２７ａと，親水性の膜１６及び前記第１のアウトレット１３間に構成された下流部分２７ｂとを有している。前記液路マウス３５が与えられている前記基壁２６ａは，流路の下流部分２７ｂを規定している。
【００６０】
前記液路マウス３５は，前記基壁２６ａの側方端部ゾーンに位置されている（図１４をみよ），この側方端部ゾーンは，前記流体インレット１２の反対側に設けられている。
【００６１】
前記基壁２６ａの内側に配置された突出部３２は，第１グループの突出部と第２グループの突出部とに分けられている。第１グループの突出部は，突出部３２が，列をなして位置されている液路マウス３５まで達しており，これら列は，互いに平行し，液路マウス３５に向けて水平方向に延び，液体部分の流路の方向に向けられた複数の平行なライナーコンジット（ｌｉｎｅｒａ  ｃｏｎｄｕｉｔｓ）を規定している。前記第２のグループの突出部は，前記液路マウス３５を超えて配置されており前記突出部３２は，点部，即ち小さなセグメントのようなギザギザした形状の歯のようであり，また液路マウス３５の中心に対して正接方向に向けられている。
前記第１のアウトレット１３は，Ｌ字型のアウトレットコンジット２１の上方端部に配置されている。この上方端部は，前記支持部材１の置かれている面に対して傾斜軸を有している。前記アウトレットコンジット２１は，前記容器本体のカバー部分２６に完全に関連されている。
【００６２】
前記第２のアウトレット１４（通気孔）に動作している疎水性の膜１７は，流路の上流部分２７ａの上方側部ゾーンに位置されている。この上方側部ゾーンとは，前記長さのチューブ１８の面が，垂直である使用の構造において，使用されている。この使用の構造において，前記疎水性の膜１７は，上流部分２７ａの最も高いポイントに位置され，上方に向けられている。
【００６３】
前記使用の構造において，前記疎水性の膜１７は，水平面内にある一方，前記親水性の膜１６は，垂直面内にある。
【００６４】
前記疎水性の膜１７は，前記親水性の膜１６の，動作するフィルター面の最も高いポイント上に位置されている。親水性の膜の動作するフィルター面は，基部２５ｂの周辺エッジと，前記カバー部分の周辺エッジ２６ｂとの間に構成されている，親水性の膜の周辺エッジを有している。
【００６５】
前記流路の上流部分２７ａは，一方のディメンションが，他方の２つのディメンションより小さい状態にある，平面形態を有しており，このディメンションは，親水性の膜１６に対して平行で，従って，使用の構造において垂直である。
【００６６】
前記流路の上流部分２７ａは，上流部分２７ａ自体の下方端部ゾーンに配置されている流体インレットを，疎水性の膜１７が動作している，気体のための上方の第２のアウトレット１４の対向側に有している。
【００６７】
前記流路の上流部分２７ａの流路セクションは，疎水性の膜１７の方向へと，従って，前記第２のアウトレット１４に向けて，下から上へと進むにつれ徐々に増えている。疎水性の膜１７によって上位に規定された上流部分２７ａの上方端部ゾーンは，前記フィルターの親水性の膜１６の上方エッジ上に位置されている。
【００６８】
第２の実施の形態において，前記貫通チャネル２８は，疎水性の膜１７を介して，外部の大気と接続している，流路２７の上流部分２７ａを位置付けている。この貫通チャネルは，前記支持部材１の平面に対して平行に延びている長手方向の軸を有し，前記カバー部分２６のウィング２６ｃ内に与えられている。このウィング２６ｃは，カバー部分２６の上方端部から，カバー部分２６の本体の平面の方向に対して，横方向に突出している。この貫通チャネル２８は，図示された実施の形態のように，均一分配された複数の垂直軸方向のホールの形状に形成されることができる。前記疎水性の膜１７は，前記基壁２５の上方口部と前記カバー部分２６のウィング２６ｃとの間に拘束された周辺エッジのおかげで，所定の位置に維持されている。
【００６９】
前記上流部分２７ａを規定している，基部の前記基壁２５ａは，前記第２のアウトレット１４の垂直方向に配置されている，傾斜した中央部を有している。この傾斜のおかげで，前記流路の上流部分２７ａは，下方から上方へと向けて漸次増している流路セクションを備えた，第２のアウトレット１４の垂直部の下方に配置された中央ゾーンを有している。
【００７０】
この中央ゾーンでは，（親水性の膜１６の過度の変形を防止するように，前記突出部３２と協力している）突出部３１の高さが，上方向に向けて徐々に増している。
【００７１】
前記中央ゾーンで，前記突出部３１は，歯型形状であり，水平方向の突出部間で互い違いに配置されている。これら歯部は，例えば，垂直方向に一列に向けられていることができるか，図９の平面図に従って垂直方向に配置された短いセグメント内に含まれることができる。セパレータ流体インレット１２に近い，一方の突出部３１は，（図９の右側に）水平方向に一列に配置されている。流体インレットに対抗した他方の側方端部ゾーンで，突出部３１は，Ｃ形状であり，一方の内側と他方の内側とが同心軸に配置され，（図９の左側に）水平方向にＣ形状の細長いアームと配置されている。
【００７２】
前記ライナー突出部３１は，第２のアウトレット１４の下に置かれた上流部分２７ａの，中央ゾーンへと，流体を方向付けているライナーコンジットを規定している。前記Ｃ形状の突出部３１は，中央ゾーンへと流体を導いているＣ形状のコンジットを規定している。
【００７３】
突出部３１と，３２とは，前記親水性の膜の対向側１６ｂと１６ａとの２つの静止面を規定している。これら面は，両方向への膜の変形を制限することができる。
【００７４】
前記上流部分２７ａの特別な配置並びに構造と，前記第２のアウトレット１４及び流体インレット１２の特別な配置並びに構造とは，流体から気体を排出する効果を改善しながら，小さなスペースを占めることに貢献している。
【００７５】
第２の実施の形態において，前記容器本体１１は，支持部材１内に組み込まれており，前記第１の側方部分２０から前記第２の側方部分２２に横方向に一般に展開している。前記流体インレット１２は，第１の側方部分２０内に位置されている一方，液体のみのための第１のアウトレット１３は，前記展開部の中間ラインを超えて，第２の側方部分２２近くの，上に示された横の展開部の側方端部ゾーンに位置されている。このことは，親水性の膜１６が，積極的なフィルター面を有することを可能にし，そして，支持部材１の全体的な広がりを増すことなく，剛性のクロスピース２３上に十分なスペースを利用させる。
【００７６】
気体のための第２のアウトレット１４は，容器本体１１の横方向の展開部の中央ゾーンに配置されている。
【００７７】
前記予め配置されたチェックバルブ３６は，流通を防止する。特にチェックバルブ３６は，対外回路３３から，輸液ライン２へと，血液流路の危険に抗して保障している。この危険は，蠕動ポンプ９が，いずれの理由でこれの閉鎖能力を失う，即ち，前記チューブとポンプローラとの間の接触ゾーンで，チューブの可撓性の壁の圧迫の効果によって，第１の長さのチューブ１８の閉鎖の機能を失う場合に，特に（リスクが）高い。この閉鎖能力の欠落で，血液は，対外回路３３から，輸液ラインを介して，容器４までさえフローするかもしれない。
【００７８】
さらに，前記チェックバルブ３６の使用が，前記体外回路３３から前記輸液ライン２中へと，特に，蠕動ポンプと輸液ポイントとの間に構成されたラインのゾーンへと向かって進む,少量の血液の流入を防止する。この状況は，圧力低下の動作の段階中に，起こり得る血液の漏れの危険がある状態で，輸液ライン２内の不安定な圧力を引き起こす蠕動ポンプ９の動作状態によって生じるかもしれない。
【００７９】
２つの可能な実施の形態に示されている，気体と液体との連続的な流体セパレータ１０は，第２の長さのチューブ１９と流体接続で，第１の長さチューブを支持するように予め位置された支持部材１内に一体化されている。また，セパレータ１０は，輸液装置３の一部である輸液ライン２内に含まれた支持部材１内に抑制されてもいる。
【００８０】
ここで説明されたセパレータのように構成された気体/液体セパレータを使用することが可能であり，しかし，（このセパレータは）前記支持部材１と必ずしも一体化している必要は無く，支持部材から独立し，運ばれた流体に空気を通さないために，上述された流体移送ラインと異なる可能性のある流体移送ラインに含まれている。
【００８１】
図示されていないさらなる実施の形態では，前記チェックバルブ３６は，空気/液体セパレータと一体化されることはできないが，代わりに，セパレータの所定の距離の後に位置された輸液ラインに含まれることができる。
【図面の簡単な説明】
【００８２】
【図１】本発明に従ったラインと支持部材とを使用している，輸液装置の概略図である。
【図２】湾曲した長さのチューブを支持し，かつ本発明に従った支持部材を有した，図１の装置の一部を示している。
【図３】前記支持部材の部分が，内側の構造を明瞭に示すように外されている，図２の一部に類似した図である。
【図４】本発明に従った支持部材の詳細な図である。
【図５】図４のＶ−Ｖ線に沿って切断されたセクションである。
【図６】図３を考慮して外された支持部材の一部を示している。
【図７】図２の支持部材のための代替品に使用されることのできる，本発明に従った支持部材の第２の実施の形態である。
【図８】図７を上から見た図である。
【図９】所定の部分が，明瞭のために外されている状態の，図７と同じ図である。
【図１０】図９を上から見た図である。
【図１１】図７のＸＩ−ＸＩ線に従って切断されたセクションである。
【図１２】図７のＸＩＩ−ＸＩＩ線に従って切断されたセクションである。
【図１３】図１２のＸＩＩＩ−ＸＩＩＩ線に従って切断されたセクションである。
【図１４】図９の外された支持部材の一部を内側から見た図である。
【図１５】容器本体の切断されたセクションである。
【符号の説明】
【００８３】
１・・・支持部材，２・・・輸液ライン，２ａ・・・輸液ラインのブランチ，２ｂ・・・輸液ラインの共通部分，３・・・輸液装置，４・・・容器，５・・・輸液ポイント，６・・・フロー遮断部材，７・・・重量測定装置，８・・・制御ユニット，９・・・蠕動ポンプ，１０・・・連続流体セパレータ（又は空気分離器），１１・・・セパレータの容器本体，１２・・・セパレータのインレット（流体インレット），１３・・・セパレータの第１アウトレット（液体アウトレット）１４・・・セパレータの第２アウトレット（気体アウトレット），１５・・・セパレータのセレクター手段，１６・・・親水性の膜（液体部分の流路），１６ａ・・・液体アウトレットに面した親水性の膜の側部，１６ｂ・・・流体インレットに面した親水性の膜の側部，１７・・・疎水性の膜（気体部分の流路），１８・・・第１の長さのチューブ，１９・・・第２の長さのチューブ，２０・・・支持部材の第１の側方部分，２１・・・アウトレットコンジット，２２・・・支持部材の第２の側方部分，２３・・・支持部材の剛性のクロスピース，２４・・・支持部材の貫通ホール，２５・・・容器本体の基部，２５ａ・・・基部の基壁，２５ｂ・・・基部の周辺エッジ，２６・・・容器本体のカバー部分，２６ａ・・・カバー部分の基部，２６ｂ・・・カバー部分の周辺エッジ，２６ｃ・・・上方横ウィング，２７・・・容器本体内の流路，２７ａ・・・親水性の膜上流の流路の半体，２７ｂ・・・親水性の膜下流の流路の半体，２８・・・容器本体中の貫通チャネル，２９・・・部材を接続している第１のチューブ，３０・・・部材を接続している第２のチューブ，３１・・・容器本体の基部に関連した突出部，３２・・・容器本体のカバー部分に関連した突出部，３３・・・体外血液回路，３４・・・血液処理ユニット，３５・・・液体流路マウス部，３６・・・チェックバルブ，３７・・・移動可能な閉塞器，３８・・・チェックバルブの突出部
【図１】
2005532105.tif 000003
【図２】
2005532105.tif 000004
【図３】
2005532105.tif 000005
【図４】
2005532105.tif 000006
【図５】
2005532105.tif 000007
【図６】
2005532105.tif 000008
【図７】
2005532105.tif 000009
【図８】
2005532105.tif 000010
【図９】
2005532105.tif 000011
【図１０】
2005532105.tif 000012
【図１１】
2005532105.tif 000013
【図１２】
2005532105.tif 000014
【図１３】
2005532105.tif 000015
【図１４】
2005532105.tif 000016
【図１５】
2005532105.tif 000017
【手続補正書】
【提出日】平成17年2月8日(2005.2.8)
【手続補正１】
【補正対象書類名】特許請求の範囲
【補正対象項目名】全文
【補正方法】変更
【補正の内容】
【特許請求の範囲】
【請求項１】
体外流体移送ラインのための支持部材であって，
少なくとも第１の長さのチューブ（１８）を規定するように，前記移送ライン（２）の対応する部分を支持するようにデザインされた第１及び第２の側方部分（２０，２２）と，
前記両側方部分（２０，２２）を接続するための剛性のクロスピース（２３）とを具備し,
前記第1の側方部分（２０）は，流体を気体部分と，液体部分とに分離することのできる，連続的な流体セパレータ（１０）を組み込んでいる支持部材。
【請求項２】
前記セパレータ（１０）は，容器本体（１１）を有しており，この容器本体は，
流体を受けるための少なくとも1つのインレット（１２）と，
前記流体の液体部分を受けるための少なくとも第1のアウトレット（１３）と，
前記インレット（１２）及び第1のアウトレット（１３）間に設けられ，かつ，流体を，気体部分と液体部分とに連続的に分離することのできるセレクター手段（１５）とを有している請求項１の支持部材。
【請求項３】
前記セパレータの前記容器本体（１１）は，前記流体の気体部分を受けるための第２のアウトレット（１４）を少なくとも有している請求項２の支持部材。
【請求項４】
前記セレクター手段（１５）は，前記流体を受けて，液体のみを前記第1のアウトレット（１３）に向けて移送するための，前記第1のアウトレット（１３）に面した片側部（１６ａ）と，前記インレット（１２）に面した片側部（１６ｂ）とを備えた，少なくとも1つの親水性の膜（１６）を有している請求項２の支持部材。
【請求項５】
前記セレクター手段（１５）は，流体を受けて，気体のみを前記第２のアウトレット（１４）に向けて移送するための，前記第２のアウトレット（１４）に面した片側部（１７ａ）と，前記インレット（１２）に面した片側部（１７ｂ）とを備えた，少なくとも1つの疎水性の膜（１７）を有している請求項３の支持部材。
【請求項６】
前記第1の長さのチューブ（１８）は，湾曲形状部と，所定の延長軸とを有している請求項１の支持部材。
【請求項７】
前記第２の側方部分（２２）は，管状の外形を有し，前記第1の長さのチューブ（１８）の一端部と，第２の長さのチューブ（１９）の一端部とを受けるようにデザインされており，これら一端部は，前記側方部分に固定されている請求項１の支持部材。
【請求項８】
前記容器本体（１１）は，前記インレット（１２）と，前記第1及び第２のアウトレット（１３，１４）との間に流体の流路（２７）を形成するように，相互作用している基部（２５）とカバー部分（２６）とを有している請求項５の支持部材。
【請求項９】
前記基部（２５）は，前記流路（２７）を外部と流体接続させるための貫通チャネル（２８）を形成しており，また，前記疎水性の膜（１７）は，前記チャネル内で動作する請求項８の支持部材。
【請求項１０】
前記基部（２５）は，組み込み式の第1の管状接続部材（２９）を有している請求項８の支持部材。
【請求項１１】
前記カバー部分は，前記第１の管状接続部材（２９）の軸に対して傾斜した延長軸を備えた，組み込み式の第２の管状接続部材（３０）を有している請求項１０の支持部材．
【請求項１２】
前記親水性の膜（１６）は，前記基部（２５）と，前記カバー部分（２６）との間に設けられており，前記容器本体（１１）をほぼ貫通して延びている請求項８の支持部材。
【請求項１３】
前記基部（２５）と前記カバー部分（２６）との各々は，対応する基壁（２５ａ，２６ａ）と，これら基壁から出現している，対応する周辺エッジ（２５ｂ，２６ｂ）とを有しており，前記親水性の膜（１６）は，前記基壁（２５ａ，２６ａ）から離れた位置で，これら基壁（２５ａ，２６ａ）に対して平行に延びている請求項８の支持部材。
【請求項１４】
前記容器本体（１１）は，基部の前記基壁（２５ａ）から出現している，複数の突出部（３１）を有している請求項１３の支持部材。
【請求項１５】
前記容器本体は，前記カバー部分の前記基壁（２６ａ）から出現している，複数の突出部（３２）を有している請求項１３の支持部材。
【請求項１６】
前記基部の突出部（３１）は、基部の前記基壁（２５ａ）の面全体に渡って均一に分配された複数の歯部を有している請求項１４の支持部材。
【請求項１７】
前記カバー部分の突出部（３２）は，流体のフローを，前記第１のアウトレット（１３）に向けて案内するように，角度をなして離間した複数のデフレクターを有している請求項１５の支持部材。
【請求項１８】
前記容器本体の前記基部（２５）と，前記剛性のクロスピース（２３）と，前記第２の側方部分（２２）とは，単一なピースで形成されている請求項８の支持部材。
【請求項１９】
前記剛性のクロスピース（２３）は，ほぼ平らであり，前記第１の長さのチューブ（１８）が置かれている面に対して平行である請求項１の支持部材。
【請求項２０】
前記連続的な流体セパレータ（１０）は，所望の移送方向に対して逆方向な，前記移送ライン（２）のフローを防止するように，予め配置された少なくとも１つのチェックバルブ（３６）を組み込んでいる請求項１の支持部材。
【請求項２１】
前記チェックバルブ（３６）は，液体部分が，前記流体セパレータ（１０）によって，気体部分から分離された後に，液体部分の流路に沿って予め配置されている請求項２０の支持部材。
【請求項２２】
前記チェックバルブ（３６）は，前記セレクター手段（１５）と，前記第１のアウトレット（１３）との間に構成されたゾーン内で，前記容器本体（１１）の内側に配置されている請求項２もしくは請求項２１の支持部材。
【請求項２３】
前記チェックバルブ（３６）は，液体部分の流路マウス（３５）で動作している，移動可能な閉塞器（３７）を有している請求項２０の支持部材。
【請求項２４】
前記流路マウス（３５）は，容器本体（１１）の前記カバー部分（２６）に関連された請求項８もしくは請求項２３の支持部材。
【請求項２５】
前記セレクター手段（１５）は，前記カバー部分（２６）の基壁（２６ａ）に面し，かつこの基壁から離れて置かれた少なくとも１つの親水性の膜（１６）を有し，前記流路マウス（３５）は，前記基壁（２６ａ）に関連された請求項２４の支持部材。
【請求項２６】
前記容器本体（１１）は，前記セパレータインレット（１２）と前記第１のアウトレット（１３）との間の流路（２７）を内側に規定しており，前記疎水性の膜（１７）は，前記親水性の膜（１６）の上流に位置された流路部分（２７ａ）の上側のゾーン内に位置されており，この疎水性の膜（１７）は，この支持部材（１）の使用の形態において，上方を向いており，この使用の形態では，前記第１の長さのチューブ（１８）は，垂直面内にある請求項５の支持部材。
【請求項２７】
前記流路のための上流流路部分（２７ａ）は，前記疎水性の膜（１７）に向けて所定の方向に増している，少なくとも１つの流路セクションを有している請求項２６の支持部材。
【請求項２８】
前記疎水性の膜（１７）は，前記親水性の膜（１６）の動作する面の上側ポイントに対して，より上位で位置されている請求項２６の支持部材。
【請求項２９】
前記容器本体（１１）は，前記第１の側方部分（２０）から前記第２の側方部分（２２）へと一般に横方向に進んでいる展開部を有しており，前記第１のアウトレット（１３）は，前記第２の側方部分（２２）の近隣で，前記横方向の展開部の側方端ゾーンに位置されている請求項２の支持部材。
【請求項３０】
前記第２のアウトレット（１４）は，前記横方向の展開部の中間ゾーンに配置されている請求項２９の支持部材。
【請求項３１】
前記疎水性の膜（１７）は，前記第１の長さのチューブ（１８）が，垂直面内にある使用の構造に関して，垂直面内にある請求項４の支持部材。
【請求項３２】
流体を受けるための少なくとも１つのインレット（１２），及び流体の液体部分を受けるための少なくとも第１のアウトレット（１３）を有し，前記少なくとも１つのインレット（１２），及び前記第１のアウトレット（１３）間の流路（２７）を内側に有している容器本体（１１）と，
流体を受けて，前記第１のアウトレット（１３）に液体のみを移送するための，前記第１のアウトレット（１３）に面した側部（１６ａ），及び前記少なく１つのインレット（１２）に面した側部（１６ｂ）を有している前記流路の内側に配置された，少なくとも１つのフィルター部材（１６）とを具備し，前記フィルター部材は，前記少なくとも１つのインレット（１２），及び前記フィルター部材（１６）間に位置された流路の上流部分（２７ａ）と，前記フィルター部材（１６），及び前記第１のアウトレット（１３）間に位置された流路の下流部分（２７ｂ）とに流路（２７）を分けており，
流体の気体部分を受けるための流路（２７）の前記上流部分（２７ａ）に動作可能なように関連したベントを有している，少なくとも第２のアウトレット（１４）を具備しているガス/液体セパレータ（１０）。
【請求項３３】
前記第２のアウトレット（１４）は，流路（２７）の前記上流部分（２７ａ）の上側のゾーンに位置され，この上側ゾーンは，セパレータ（１０）の使用の形態においての上方を意味している請求項３２のセパレータ。
【請求項３４】
前記流路の上流部分（２７ａ）の少なくとも一部は，前記セパレータの使用の形態において，上方向に徐々に増している流路セクションを有している請求項３３のセパレータ。
【請求項３５】
前記フィルター部材（１６）は，セパレータの使用の形態において，垂直面が直交方向に配置された状態の，親水性の平面である請求項３３のセパレータ。
【請求項３６】
前記第２のアウトレット（１４）上で動作する疎水性の部材（１７）を有し，前記フィルター部材（１６）と，この疎水性の部材（１７）とが，平らであり，一方を他方に対して横方向に配置された垂直面内にある請求項３２のセパレータ。
【請求項３７】
前記少なくとも１つの流体インレット（１２）は，セパレータの使用の形態において，流路（２７）の前記上流部分（２７ａ）の下方ゾーンに配置されている請求項３３のセパレータ。
【請求項３８】
前記容器本体（１１）は，流路を規定し，かつ前記フィルター部材（１６）の対向側部（１６ｂ，１６ａ）に面した少なくとも２つの基壁（２５ａ，２６ａ）を有しており，前記フィルター部材（１６）は，前記基壁（２５ａ，２６ａ）から離れており，これら基壁（２５ａ，２６ａ）から出現している複数の突出部（３１，３２）は，フィルター部材（１６）の前記対向側部（１６ｂ，１６ａ）のための２つの自由面を規定している請求項３２のセパレータ。
【請求項３９】
請求項１に従った支持部材（１）を有している輸液ライン。
【請求項４０】
人に輸液される液体の容器（４）と，
前記輸液（４）及び前記剛性の支持部材（１）との間に延び，かつ前記第１の長さのチューブ（１８）と流体接続で位置されている第２の長さのチューブ（１９）とを有している請求項３９の輸液ライン。
【国際調査報告】
2005532105.tif 000018
2005532105.tif 000019
2005532105.tif 000020
2005532105.tif 000021
2005532105.tif 000022